(57)【特許請求の範囲】
【請求項１】
回路基板を収容するケースと、
前記回路基板と電気的に接続され、且つ、前記ケースの外部に導出されるバスバーと、
前記バスバーのうち前記ケースの外部に導出された領域に水平方向に延びて形成された水平部と、
前記ケースのうち前記バスバーの前記水平部の下方の位置に形成されて、前記バスバーに対して前記水平部が下がる方向の力が加えられた時に前記水平部を下方から保持する下側保持部材と、
前記ケースのうち前記バスバーの前記水平部の上方の位置に形成されて、前記バスバーに対して前記水平部が上がる方向の力が加えられた時に前記水平部を上方から保持する上側保持部材と、
前記下側保持部材のうち前記バスバーの前記水平部と対向する下側対向壁面及び前記上側保持部材のうち前記バスバーの前記水平部と対向する上側対向壁面の少なくとも一方又は双方に形成されて、前記水平部との間の空隙を設ける凹部とを備え、
前記上側保持部材には、前記凹部に臨むと共に、前記水平部の側縁に沿って前記水平部よりも下方へ延びた形態の誘導部が形成されている電気接続箱。
【請求項２】
前記下側保持部材は、前記ケースの外面から上方に立ち上がって形成されたリブであり、前記リブの上端縁に前記凹部が形成されている請求の範囲第１項に記載の電気接続箱。
【請求項３】
前記ケースの前記外面は傾斜面とされている請求の範囲第２項に記載の電気接続箱。
【請求項４】
前記ケースには、前記バスバーの前記水平部の上方の位置に、上方に開口してヒューズを装着可能なヒューズ装着部を有するヒューズブロックが設けられており、
前記水平部の端部は上方に曲げ形成されて前記ヒューズ装着部内に導入されてヒューズ端子とされており、
前記上側保持部材は、前記ヒューズブロックの下壁の外面に設けられていることを特徴とする請求の範囲第３項に記載の電気接続箱。
【請求項５】
前記凹部は、前記水平部の延びる方向に、間隔を隔てて複数位置に形成されている請求の範囲第４項に記載の電気接続箱。
【請求項６】
前記水平部には、その側縁部を切欠した形態の幅狭部が形成され、
前記誘導部には、前記幅狭部の側縁に沿った形態の突出部が形成されている請求の範囲第５項に記載の電気接続箱。
【請求項７】
前記誘導部は、前記凹部の内壁面のうち、前記ケース外からの液体浸入方向における奥側に位置する内壁面に沿って形成されている請求の範囲第６項に記載の電気接続箱。
【請求項８】
複数の前記水平部が並列されており、
隣り合う前記水平部の間には、前記ヒューズブロックの下壁の外面から下向きに突出する位置決め部と、前記誘導部とが配置されており、
前記位置決め部が、前記誘導部よりも液体浸入方向奥側に配置され、
前記ヒューズブックの下壁には、前記位置決め部と前記誘導部とを区画する切欠部が形成されている請求の範囲第７項に記載の電気接続箱。
【請求項９】
前記ケースには、前記バスバーの前記水平部の上方の位置に、上方に開口してヒューズを装着可能なヒューズ装着部を有するヒューズブロックが設けられており、
前記水平部の端部は上方に曲げ形成されて前記ヒューズ装着部内に導入されてヒューズ端子とされており、
前記上側保持部材は、前記ヒューズブロックの下壁の外面に設けられていることを特徴とする請求の範囲第１項に記載の電気接続箱。
【請求項１０】
前記凹部は、前記水平部の延びる方向に、間隔を隔てて複数位置に形成されている請求の範囲第１項に記載の電気接続箱。
【請求項１１】
前記水平部には、その側縁部を切欠した形態の幅狭部が形成され、
前記誘導部には、前記幅狭部の側縁に沿った形態の突出部が形成されている請求の範囲第１項に記載の電気接続箱。
【請求項１２】
前記誘導部は、前記凹部の内壁面のうち、前記ケース外からの液体浸入方向における奥側に位置する内壁面に沿って形成されている請求の範囲第１項に記載の電気接続箱。
【請求項１３】
複数の前記水平部が並列されており、
隣り合う前記水平部の間には、前記ヒューズブロックの下壁の外面から下向きに突出する位置決め部と、前記誘導部とが配置されており、
前記位置決め部が、前記誘導部よりも液体浸入方向奥側に配置され、
前記ヒューズブックの下壁には、前記位置決め部と前記誘導部とを区画する切欠部が形成されている請求の範囲第１項に記載の電気接続箱。
【請求項１４】
回路基板を収容するケースと、
前記回路基板と電気的に接続され、且つ、前記ケースの外部に導出されるバスバーと、
前記バスバーのうち前記ケースの外部に導出された領域に水平方向に延びて形成された水平部と、
前記ケースのうち前記バスバーの前記水平部の上方の位置に形成されて、前記バスバーに対して前記水平部が上がる方向の力が加えられた時に前記水平部を上方から保持する上側保持部材と、
前記上側保持部材のうち前記バスバーの前記水平部と対向する上側対向壁面に形成されて前記水平部との間の空隙を設ける凹部とを備え、
前記上側保持部材には、前記凹部に臨むと共に、前記水平部の側縁に沿って前記水平部よりも下方へ延びた形態の誘導部が形成されている電気接続箱。
【請求項１５】
前記ケースには、前記バスバーの前記水平部の上方の位置に、上方に開口してヒューズを装着可能なヒューズ装着部を有するヒューズブロックが設けられており、
前記水平部の端部は上方に曲げ形成されて前記ヒューズ装着部内に導入されてヒューズ端子とされており、
前記上側保持部材は、前記ヒューズブロックの下壁の外面に設けられていることを特徴とする請求の範囲第１４項に記載の電気接続箱。
【請求項１６】
前記凹部は、前記水平部の延びる方向に、間隔を隔てて複数位置に形成されている請求の範囲第１５項に記載の電気接続箱。
【請求項１７】
前記水平部には、その側縁部を切欠した形態の幅狭部が形成され、
前記誘導部には、前記幅狭部の側縁に沿った形態の突出部が形成されている請求の範囲第１６項に記載の電気接続箱。
【請求項１８】
前記誘導部は、前記凹部の内壁面のうち、前記ケース外からの液体浸入方向における奥側に位置する内壁面に沿って形成されている請求の範囲第１７項に記載の電気接続箱。
【請求項１９】
複数の前記水平部が並列されており、
隣り合う前記水平部の間には、前記ヒューズブロックの下壁の外面から下向きに突出する位置決め部と、前記誘導部とが配置されており、
前記位置決め部が、前記誘導部よりも液体浸入方向奥側に配置され、
前記ヒューズブックの下壁には、前記位置決め部と前記誘導部とを区画する切欠部が形成されている請求の範囲第１８項に記載の電気接続箱。
【請求項２０】
前記ケースには、前記バスバーの前記水平部の上方の位置に、上方に開口してヒューズを装着可能なヒューズ装着部を有するヒューズブロックが設けられており、
前記水平部の端部は上方に曲げ形成されて前記ヒューズ装着部内に導入されてヒューズ端子とされており、
前記上側保持部材は、前記ヒューズブロックの下壁の外面に設けられていることを特徴とする請求の範囲第１４項に記載の電気接続箱。
【請求項２１】
前記凹部は、前記水平部の延びる方向に、間隔を隔てて複数位置に形成されている請求の範囲第１４項に記載の電気接続箱。
【請求項２２】
前記水平部には、その側縁部を切欠した形態の幅狭部が形成され、
前記誘導部には、前記幅狭部の側縁に沿った形態の突出部が形成されている請求の範囲第１４項に記載の電気接続箱。
【請求項２３】
前記誘導部は、前記凹部の内壁面のうち、前記ケース外からの液体浸入方向における奥側に位置する内壁面に沿って形成されている請求の範囲第１４項に記載の電気接続箱。
【請求項２４】
複数の前記水平部が並列されており、
隣り合う前記水平部の間には、前記ヒューズブロックの下壁の外面から下向きに突出する位置決め部と、前記誘導部とが配置されており、
前記位置決め部が、前記誘導部よりも液体浸入方向奥側に配置され、
前記ヒューズブックの下壁には、前記位置決め部と前記誘導部とを区画する切欠部が形成されている請求の範囲第１４項に記載の電気接続箱。
【発明の詳細な説明】
【技術分野】
【０００１】
本発明は、電気接続箱に関する。
【背景技術】
【０００２】
自動車に搭載される電気接続箱として、回路構成体をケースに収容した構造のものがある。回路構成体は、回路基板と、回路基板の裏面に沿って配索したバスバーと、回路基板の表面側に実装されるリレー等のスイッチング部材とを備えて構成されている。ケースには、その内面側から外面側へ貫通する貫通路が形成され、バスバーの端部に形成された端子部が貫通路を貫いてケースの外面側に臨んでいる。【０００３】
尚、電気接続箱としては、特許文献１に開示されているもの等がある。
【特許文献１】特開２００３−１６４０３９公報
【発明の開示】
【０００４】
（発明が解決しようとする課題）
上記のようにバスバーの端子部が、ケースの貫通路を内面側から外面側へ貫通する形態になっている場合、ケース外の液体が、毛細管現象により、貫通路の内面と端子部の表面との隙間を移動してケースの内部に浸入することが懸念される。
【０００５】
本発明は上記のような事情に基づいて完成されたものであって、ケースにおいて、端子部の貫通部分からの浸水を防止することを目的とする。
【０００６】
（課題を解決するための手段）
上記の目的を達成するための手段として、本発明に係る電気接続箱は、回路基板を収容するケースと、前記回路基板と電気的に接続され、且つ、前記ケースの外部に導出されるバスバーと、前記バスバーのうち前記ケースの外部に導出された領域に水平方向に延びて形成された水平部と、前記ケースのうち前記バスバーの前記水平部の下方の位置に形成されて、前記バスバーに対して前記水平部が下がる方向の力が加えられた時に前記水平部を下方から保持する下側保持部材と、前記ケースのうち前記バスバーの前記水平部の上方の位置に形成されて、前記バスバーに対して前記水平部が上がる方向の力が加えられた時に前記水平部を上方から保持する上側保持部材と、前記下側保持部材のうち前記バスバーの前記水平部と対向する下側対向壁面及び前記上側保持部材のうち前記バスバーの前記水平部と対向する上側対向壁面の少なくとも一方又は双方に形成されて、前記水平部との間の空隙を設ける凹部とを備え、前記上側保持部材には、前記凹部に臨むと共に、前記水平部の側縁に沿って前記水平部よりも下方へ延びた形態の誘導部が形成されている。
【０００８】
また、本発明に係る電気接続箱は、回路基板を収容するケースと、前記回路基板と電気的に接続され、且つ、前記ケースの外部に導出されるバスバーと、前記バスバーのうち前記ケースの外部に導出された領域に水平方向に延びて形成された水平部と、前記ケースのうち前記バスバーの前記水平部の上方の位置に形成されて、前記バスバーに対して前記水平部が上がる方向の力が加えられた時に前記水平部を上方から保持する上側保持部材と、前記上側保持部材のうち前記バスバーの前記水平部と対向する上側対向壁面に形成されて前記水平部との間の空隙を設ける凹部とを備え、前記上側保持部材には、前記凹部に臨むと共に、前記水平部の側縁に沿って前記水平部よりも下方へ延びた形態の誘導部が形成されている。
【０００９】
（発明の効果）
本発明によれば、ケース外の液体が、バスバーと、下側保持部材又は上側保持部材との間の隙間に浸入して毛細管現象によりケースの内側に向かって移動しても、下側保持部材又上側保持部材に形成された凹部において、バスバーと、下側保持部材又は上側保持部材との隙間が大きく拡大するため、毛細管現象による液体の浸入が凹部により遮断される。
【図面の簡単な説明】
【００１０】
【図１】図１は実施形態１の斜視図である。
【図２】図２は縦断面図である。
【図３】図３はヒューズブロックとカバーとによって形成される貫通路の形状を現す部分拡大縦断面図である。
【図４】図４はヒューズブロックの下方から視た斜視図である。
【図５】図５は端子部の貫通路をあらわす部分拡大縦断面図である。
【図６】図６はヒューズブロックの形状をあわらす部分拡大縦断面図である。
【図７】図７は端子部の貫通路をあらわす底面図である。
【図８】図８は端子部及びカバーの外面の形状をあらわす斜視図である。  １１…回路基板  １２…バスバー  １４…水平部  １５…ヒューズ端子  １７…幅狭部  ２０…ケース  ２３…ヒューズブロック  ２９…ヒューズ装着部  ３１…上側第１凹部  ３２…上側第２凹部  ３６…誘導部  ３８…突出部  ４０…位置決め部  ４１…切欠部  ４２…傾斜面  ４３…リブ（下側保持部材）  ４６…下側凹部  ６０…上側保持部材  ６１…上側対向壁面  ６２…下側対向壁面
【発明を実施するための最良の形態】
【００１１】
以下、本発明を具体化した一実施形態を図１乃至図８を参照して説明する。本実施形態の電気接続箱は、自動車に搭載され、バッテリ（図示せず）とランプ、オーディオ等の電装品（図示せず）との間に介設され、バッテリから供給される電力を各電装品に分配・供給するとともに、これら電力供給の切り替え等の制御を行うものである。図１においては、電気接続箱を表面（正面）側が上向きとなるように描いているが、自動車に搭載された状態では、電気接続箱は、図２，３，５，６に示すように、ヒューズブロック２３の本体部２７が上側に位置する向きとなる。以下、上下左右の向きについては、自動車に搭載された状態を基準として説明する。【００１２】
電気接続箱は、回路構成体１０と、回路構成体１０を収容するケース２０とを備えて構成される。  
回路構成体１０は、板面を鉛直方向に向けた回路基板１１と、回路基板１１の裏面（図２における右面）に沿って配索した複数のバスバー１２と、回路基板１１の表面側（図２における左面側）に実装されるリレーなどのスイッチング部材１９とを備えて構成されている。バスバー１２は回路基板１１の裏面に接着されており、バスバー１２の上端部に形成した第１端子部１３が回路基板１１の上端縁から突出されているとともに、同じくバスバー１２の下端部に形成した第２端子部１８が回路基板１１の下端縁から突出されている。【００１３】
第１端子部１３は、バスバー１２の上向きの上端部６３から直角に前方へ水平方向に突出する板状の水平部１４と、水平部１４の前端から直角に上方へ突出する板状のヒューズ端子１５とからなり、ヒューズ端子１５はヒューズ（図示せず）との接続のために二股に分岐した形状をなしている。水平部１４には、その左右両側縁を縦長方形に切欠した形態の一対の逃がし部１６が形成され、水平部１４のうち逃がし部１６が形成されている領域は、それよりも前方領域及び後方領域よりも幅寸法の小さい幅狭部１７となっている。この幅狭部１７は、後述する上側第１凹部３１の後端部と上側第２凹部３２の前端部とに対応する領域に亘って形成されている。【００１４】
ケース２０は、合成樹脂等の絶縁材料からなるとともに回路基板１１の周縁に沿って回路構成体１０を全周に亘って連続して包囲する略方形の枠状をなすフレーム２１と、フレーム２１に対しその裏側の開口を塞ぐように固着される金属製の放熱板２２と、フレーム２１に対しその上側から組み付けられる合成樹脂製のヒューズブロック２３と、フレーム２１に対しその表面側（放熱板２２とは反対側）の開口を塞ぐことでフレーム２１内に収容されている回路基板１１とスイッチング部材１９を覆い隠すように組み付けられる合成樹脂製のカバー２４と、ヒューズブロック２３に組み付けられる合成樹脂製の第１ハウジング２５と、フレーム２１の下縁部に組み付けられる合成樹脂製の第２〜第４ハウジング２６とを備えて構成される。【００１５】
ヒューズブロック２３は、フレーム２１の上縁部の前面（正面）に沿って配される横長の本体部２７と、この本体部２７の左右両端部から下方へ片持ち状に延出する形態の一対のアーム部２８とからなる。本体部２７の上面には、ヒューズ（図示せず）を収容するためのヒューズ装着部２９が、本体部２７の上面よりも上方へ方形ブロック状に突出し、且つ上面側へ開放された形態で形成されている。また、ヒューズ装着部２９内には、上下に貫通する形態の収容溝３０が形成されており、収容溝３０内には、第１端子部１３のヒューズ端子１５が収容されるようになっている。【００１６】
ヒューズをヒューズ装着部２９の上方から装着すると、ヒューズ端子１５に対して下向きの力が加わる。これによりバスバー１２に対しては、バスバー１２の上向きの上端部６３を支点として水平部１４が下がる方向の力が加わるようになっている。また、ヒューズをヒューズ装着部２９から引き抜く際には、ヒューズ端子１５に対して上向きの力が加わる。これによりバスバー１２に対しては、バスバー１２の上向きの上端部６３を支点として水平部１４が上がる方向の力が加わるようになっている。【００１７】
本体部２７の後端部のうち、本体部２７の下壁の外面は、バスバー１２に対して水平部１４が上がる方向に力が加えられた時に水平部１４を上方から当接して保持する上側保持部材６０とされる。上側保持部材６０の下面には、水平部１４と対向して上側対向壁面６１が形成されている。上側対向壁面６１には、左右方向に細長い方形断面の上側第１凹部３１と上側第２凹部３２が、前後方向（貫通路４８における水平部１４の貫通方向）に並び、且つ本体部２７の下面のみに開口する形態で形成されている。この２つの上側凹部３１，３２は収容溝３０よりも後方に位置し、収容溝３０と上側第１凹部３１との間の部分は、左右方向に長い板状をなすとともに下向きに突出する形態の第１壁部３３となっており、上側第１凹部３１と上側第２凹部３２との間の部分は、左右方向に長い板状をなすとともに下向きに突出する第２壁部３４となっており、本体部２７の後面壁と上側第２凹部３２との間の部分は、左右方向に長い板状をなすとともに下向きに突出する第３壁部３５となっている。【００１８】
また、本体部２７の下面には、上側第１凹部３１の天井面から第２壁部３４の前面に沿って下方へ突出する形態の複数の誘導部３６が形成されている。第１端子部１３は、本体部２７の下面に沿って左右方向に並ぶように配置されるが、誘導部３６は、隣り合う第１端子部１３の間を仕切るように配置された壁状をなしている。誘導部３６の前端縁は収容溝３０の前側（ケース２０外からの液体がケース２０内に浸入するときの浸入方向における手前側）の内面に連なっており、誘導部３６の後端縁は上側第１凹部３１の後側（液体浸入方向における奥側）の内壁面（第２壁部３４の前面）に連なっている。また、誘導部３６の左右方向の厚さ寸法については、略前半部分が幅狭の薄壁部３７となっている。さらに、誘導部３６の後端部には、その外側面から外側へ方形に突出するとともに、上側第１凹部３１の後側の内壁面に連なる形態の左右一対の突出部３８が形成されている。かかる誘導部３６の下端部は、第１端子部１３の水平部１４よりも下方へ突出されている。【００１９】
さらに、本体部２７の下面には、上側第２凹部３２の天井面から下方へ突出する形態の複数の仕切壁３９が形成されており、この仕切壁３９は、隣り合う第１端子部１３の間を仕切るように配置されている。仕切壁３９の前端縁は上側第２凹部３２の前側の内面に連なっており、仕切壁３９の後端縁は上側第２凹部３２の後側の内壁面に連なっている。かかる仕切壁３９の下端は本体部２７の下面と同じ高さとされているが、この仕切壁３９には、本体部２７の下面（水平貫通部の上面）よりも下方へ突出した形態であって、仕切壁３９と同じ幅寸法の位置決め部４０が形成されている。位置決め部４０は、前後方向（液体浸入方向と平行な方向）に細長く延びており、仕切壁３９からの下方への突出寸法は、第１端子部１３の水平部１４の板厚とほぼ同じ寸法とされている。また、前後方向における位置決め部４０の形成範囲は、第２壁部３４の後面（上側第２凹部３２の前側の内壁面）よりも少し後方の位置から、第３壁部３５の後面に至る領域とされている。【００２０】
さらに、各位置決め部４０と、上記した誘導部３６とは前後方向に並ぶような位置関係となっている。詳しくは、位置決め部４０は、誘導部３６よりも後方（液体浸入方向における奥側）に位置し、誘導部３６の後端と位置決め部４０の前端との間には、切欠部４１が形成されている。【００２１】
カバー２４は、全体として回路基板１１とほぼ相似形であって、回路基板１１よりも一回り大きい形状をなす。カバー２４の上端部外面は、前下がりの勾配を有する傾斜面４２となっており、この傾斜面４２には、複数のリブ４３（本発明の構成要件である下側保持部材）が左右方向に所定のピッチで上向きに突出する形態で形成されている。また、カバー２４には、傾斜面４２の上端縁から上方へ鉛直方向に立ち上がる支持壁４４が形成されており、支持壁４４の上端縁からは、前方へ庇部４５が突出して形成されている。リブ４３の後端縁は支持壁４４と庇部４５に連なっている。かかるリブ４３の上端縁には水平部１４と対向する下側対向壁面６２が形成されている。この下側対向壁面６２には、その上端縁を方形に切欠した形態の下側凹部４６が形成されている。下側凹部４６の後面は庇部４５の前端面に対して面一状に連なっている。下側凹部４６の下面には、上方に向かって幅狭となるような稜線状をなす左右一対のテーパ面４７が形成されている。また、庇部４５の上面は、リブ４３の上端面と同じ高さとなっていて、リブ４３の上端面とともに後述する貫通路４８の下面を構成している。【００２２】
本体部２７の後端部下面とカバー２４の上端部とによって上下に挟まれた空間は、ケース２０の周縁部（上縁部）をその内面側から外面側へ水平（前後方向）に貫通する形態であって、上記第１端子部１３の水平部１４を前後方向に貫通させた状態で収容するための水平な貫通路４８となっている。貫通路４８の後端は、フレーム２１と回路基板１１とカバー２４によって囲まれたケース２０内のスイッチング部材１９を収容する空間に連通している。一方、貫通路４８の前端は、ヒューズ装着部２９の収容溝３０の下端に連通し、この収容溝３０はケース２０の外部へ上向きに開放されている。貫通路４８の上面は、ヒューズブロック２３の本体部２７の下面に形成された上側保持部材６０によって構成されている。一方、貫通路４８の下面は、カバー２４の外面から上方に立ち上がって形成されたリブ４３によって構成されている。【００２３】
水平部１４は、貫通路４８の後端において、ケース２０内のスイッチング部材１９を収容する空間から外部に導出されている。貫通路４８のうち、ひさし部４５よりも前方の領域においては、貫通路４８の下面はケース２０の外面に形成されたリブ４３により構成されている。図７に示すように、リブ４３の幅寸法は水平部１４の幅寸法よりも狭く形成されている。このため、水平部１４の下面のうち、各リブ４３の左右両側の領域（隣り合うリブ４３の間）はケース２０の外部空間に臨んでおり、水平部１４はケース２０の外部に導出された状態になっている。【００２４】
貫通路４８内に収容された第１端子部１３の水平部１４の上方には、上側保持部材６０の第１壁部３３、第２壁部３４及び第３壁部３５が位置するようになっている。また、水平部１４の下方には、リブ４３が位置するようになっている。【００２５】
上述したように、ヒューズをヒューズ装着部２９から引き抜く際には、ヒューズ端子１５に対して上向きの力が加わる。これによりバスバー１２に対しては、バスバー１２の上向きの上端部６３を支点として、水平部１４が上がる方向の力が加わるようになっている。このとき第１〜第３壁部３３、３４、３５の下面は、水平部１４の上面と上方から当接することで、水平部１４を正規位置に保持するようになっている。なお、第１〜第３壁部３３、３４、３５の下面と、水平部１４の上面とは、常に当接していてもよいし、また、バスバー１２に対し水平部１４が上がる方向の力が加わらないときには離間しているがバスバー１２に対し水平部１４が上がる方向の力が加わったときには当接する構成としてもよい。【００２６】
また、上述したように、ヒューズをヒューズ装着部２９の上方から装着すると、ヒューズ端子１５に対して下向きの力が加わる。これによりバスバー１２に対しては、バスバー１２の上向きの上端部６３を支点として、水平部１４が下がる方向の力が加わるようになっている。このときリブ４３の上面は、水平部１４の下面と下方から当接することで、水平部１４を正規位置に保持するようになっている。なお、リブ４３の上面と、水平部１４の下面とは、常に当接していてもよいし、また、バスバー１２に対し水平部１４が上がる方向の力が加わらないときには離間しているがバスバー１２に対し水平部１４が下がる方向の力が加わったときには当接する構成としてもよい。【００２７】
本態様においては、貫通路４８内に収容された第１端子部１３の水平部１４は、その上面に対して第１壁部３３、第２壁部３４及び第３壁部３５の下面が当接されているとともに、下面に対してリブ４３の上面が当接された状態となっている。つまり、貫通路４８の上面を構成する本体部２７は、その凹部３１，３２が形成されていない部分（壁部３３，３４，３５）において、貫通路４８の下面を構成するリブ４３との間で第１端子部１３の水平部１４を挟み付けることができるので、第１端子部１３は確実に保持される。【００２８】
第１〜第３壁部３３，３４，３５は、水平部１４の全幅に亘って連続して当接し、リブ４３は、水平部１４の幅方向における中央位置のみに当接している。第１壁部３３は、リブ４３の上端面における下側凹部４６よりも前側の領域と対応し、この部分で水平部１４が上下に挟まれている。第２壁部３４は、下側凹部４６と対応するように位置している。第３壁部３５は、リブ４３の上端面における下側凹部４６よりも後側の領域及び庇部４５の上面と対応している。【００２９】
また、貫通路４８の下面のうち各リブ４３の左右両側の領域（隣り合うリブ４３の間）は、貫通路４８をケース２０の外部に連通される開口部４９となっている。そして、誘導部３６の下端部は、この開口部４９からリブ４３と接触又は干渉しないように下方へ突出され、カバー２４の傾斜面４２の上方に位置している。さらに、上側第１凹部３１内に臨む誘導部３６の側面は、その幅狭の薄壁部３７を除いて水平部１４の側面に接触又は近接した状態となっており、誘導部３６の後端の突出部３８が逃がし部１６の前端部に嵌合されている。換言すると、誘導部３６は、水平部１４の側縁に沿って水平部１４よりも下方へ延びた形態となっている。【００３０】
次に、本実施形態の作用を説明する。【００３１】
ヒューズブロック２３の収容溝３０内に第１端子部１３のヒューズ端子１５を収容する際、ヒューズ端子１５が収容溝３０の内壁面に引っ掛かると、バスバー１２の上向きの上端部６３を支点として第１端子部１３の水平部１４が下方に撓み変形し、ヒューズ端子１５が収容溝３０内の正規位置に収容されないことが懸念される。上記の点に鑑み本態様においては、バスバー１２に対して、水平部１４を下げる方向の力が加えられたときには、リブ４３の上面が水平部１４の下面と下方から当接することで、水平部１４を正規位置に保持するようになっている。これにより、ヒューズ端子１５を収容溝３０内の正規位置に収容することができる。【００３２】
また、ヒューズをヒューズ装着部２９の上方から装着すると、ヒューズ端子１５に対して下向きの力が加わる。これによりバスバー１２に対しては、バスバー１２の上向きの上端部６３を支点として、水平部１４が下がる方向の力が加わる。するとリブ４３の上面が水平部１４の下面と下方から当接することで、水平部１４を正規位置に保持することができる。【００３３】
更に、ヒューズをヒューズ装着部２９から引き抜く際には、ヒューズ端子１５に対して上向きの力が加わる。これによりバスバー１２に対しては、バスバー１２の上向きの上端部６３を支点として、水平部１４が上がる方向の力が加わる。すると、第１〜第３壁部３３、３４、３５の下面が水平部１４の上面と上方から当接することで、水平部１４を正規位置に保持することができる。【００３４】
その上、貫通路４８内に収容された第１端子部１３の水平部１４は、その上面に対して第１壁部３３、第２壁部３４及び第３壁部３５の下面が当接されているとともに、下面に対してリブ４３の上面が当接された状態となっている。つまり、貫通路４８の上面を構成する本体部２７は、その凹部３１，３２が形成されていない部分（壁部３３，３４，３５）において、貫通路４８の下面を構成するリブ４３との間で第１端子部１３の水平部１４を挟み付けることができるので、第１端子部１３を確実に保持できる。【００３５】
また、ケース２０外の液体が、ヒューズ装着部２９の収容溝３０から貫通路４８の内面と第１端子部１３の水平部１４の表面との隙間に浸入し、毛細管現象によって貫通路４８内をケース２０の内側（後側）に向かって移動しても、本体部２７の両凹部３１，３２において貫通路４８の上面（内面）と水平部１４の上面（表面）との隙間が大きく拡大するため、毛細管現象による液体の浸入が凹部３１，３２で遮断される。しかも、上面側の上側第１凹部３１と上側第２凹部３２は、水平部１４の貫通方向（液体浸入方向）において間隔を空けた２位置に形成されているので、液体が、その浸入方向における手前側の上側第１凹部３１を通過しても、浸入方向奥側に位置する上側第２凹部３２において、液体の浸入を確実に遮断することができる。また、リブ４３の下側凹部４６においても貫通路４８の下面（内面）と水平部１４の下面（表面）との隙間が大きく拡大するため、毛細管現象による液体の浸入が下側凹部４６で遮断される。これにより、ケース２０内への液体の浸入が防止されている。【００３６】
また、貫通路４８の下面を構成するリブ４３は、カバー２４（ケース２０）の外面側に設けられ、このリブ４３に形成されている下側凹部４６の上端の開口が貫通路４８に臨んでいる。つまり、下側凹部４６はケース２０（カバー２４）の外部空間に連通されている。したがって、毛細管現象によって下側凹部４６に達した液体は、下側凹部４６の前側の内面と、リブ４３の左右外側面を伝い、カバー２４の傾斜面４２に至る経路に沿って、貫通路４８の外部へ排出される。しかも、下側凹部４６の下面は稜線状をなしていて、下側凹部４６の下面に達した液体がテーパ面４７の勾配にしたがって、リブ４３の左右外側面側へ流れ落ちるようになっているので、液体が下側凹部４６の下面に溜まる虞はない。さらに、傾斜面４２に達した液体は、その勾配に従って下方へ流れ落ちるので、液体がカバー２４の外面上に溜まることがなく、排水性能に優れている。これにより、ケース２０内への液体の浸入を確実に防止することができる。【００３７】
また、本体部２７の下面には、上側第１凹部３１に臨むとともに、水平部１４の側縁に沿って水平部１４よりも下方へ延びた形態の誘導部３６が形成されているので、水平部１４の上面において上側第１凹部３１に達した液体の少なくとも一部は、毛細管現象により、水平部１４の側面と誘導部３６の表面との隙間に吸い込まれ、誘導部３６の表面を伝うことによって水平部１４よりも下方へ流れ落ちる。これにより、ケース２０の内部への浸水が抑えられる。【００３８】
また、水平部１４には、その側縁部のうち上側第１凹部３１と誘導部３６の後端部との対応領域を切欠した形態の幅狭部１７を形成し、誘導部３６には、幅狭部１７の側縁に沿った形態の突出部３８を形成した。これにより、上側第１凹部３１において端子部の幅狭部１７の上面に達した液体は、突出部３８の表面を伝って水平部１４の下方へ流れ落ちる。上側第１凹部３１では水平部１４の幅が狭くなっているので、水平部の幅が狭くなっていない形態のものに比べると、水平部１４の上面に達した液体が誘導部３６の突出部３８に接触し易くなっている。【００３９】
また、貫通路４８の下面を構成するリブ４３は、ケース２０の外面から突出する形態とされていて、水平部１４よりも下方の空間のうちリブ４３と非干渉の領域は、ケース２０の外部空間となっている。そして、貫通路４８の下面の一部（リブ４３以外の領域）は、ケース２０の外部に連通する開口部４９とされ、誘導部３６の下端部は、この開口部４９を貫いてケース２０の外部に配置されている。したがって、誘導部３６の表面を伝って流れた液体は、確実にケース２０の外へ排出される。【００４０】
また、誘導部３６は、上側第１凹部３１の内壁面のうち、ケース２０外からの液体浸入方向における奥側（後側）に位置する内壁面に沿って形成されているので、上側第１凹部３１に到達した液体が、液体浸入方向奥側に位置する上側第２凹部３２の内壁（第２壁部３４）の下面と水平部１４の上面との隙間に吸い込まれようとしたとき、その直前で、液体の少なくとも一部が水平部１４の側面と誘導部３６の表面との隙間に吸い込まれるようになり、液体のケース２０内への浸入を抑えることができる。【００４１】
また、複数の水平部１４が左右方向に並列され、隣り合う水平部１４の間には、貫通路４８の上面から下向きに突出する位置決め部４０と、誘導部３６とが配置されているのであるが、このように隣り合う水平部１４の間に位置決め部４０が配置されている場合は、毛細管現象により位置決め部４０の側面と水平部１４の側面との隙間に液体が浸入することが懸念される。しかし、本実施形態では、位置決め部４０が誘導部３６よりも液体浸入方向奥側（後側）に配置され、位置決め部４０と誘導部３６とが切欠部４１によって区画されて非連続の形態とされているので、液体が、位置決め部４０に到達する前に、誘導部３６に沿って水平部１４の下方へ吸い出されるようになり、液体が位置決め部４０と端子部との隙間に浸入するのを抑えることができる。【００４２】
＜他の実施形態＞
本発明は上記記述及び図面によって説明した実施形態に限定されるものではなく、例えば次のような実施態様も本発明の技術的範囲に含まれる。【００４３】
（１）上記実施形態では上側保持部材に２つの凹部を形成したが、本発明によれば、上側保持部材に形成する凹部の数は、１つだけでもよく、３つ以上でもよい。【００４４】
（２）上記実施形態では下側保持部材を壁状のリブとしたが、本発明によれば、下側保持部材を端子部の全幅に亘って当接するブロック状としてもよい。【００４５】
（３）上記実施形態では端子部の左右両側縁部を切欠することによって幅狭部を形成したが、本発明によれば、幅狭部は、端子部の左右いずれか一方の側縁のみを切欠した形態としてもよい。  【００４６】
（４）上記実施形態では誘導部を凹部間の壁部に連なる形態としたが、本発明によれば、誘導部を、凹部の天井面から壁部に連ならない形態で垂下する形態としてもよい。【００４７】
（５）上記実施形態では下側保持部材の上面と上側保持部材の下面の双方に凹部を形成したが、本発明によれば、凹部は、下側保持部材の上面のみ又は上側保持部材の下面のみに形成してもよい。【００４９】
（６）上記実施形態では誘導部が、凹部の内壁面のうち、ケース外からの液体浸入方向における奥側に位置する内壁面に沿って形成されている形態としたが、本発明によれば、液体浸入方向における奥側の内壁面以外の内壁面に形成してもよい。
【００５０】
（７）上記実施形態では位置決め部を誘導部よりも液体浸入方向奥側に配置したが、本発明によれば、位置決め部を誘導部よりも液体浸入方向手前側に配置してもよい。
【００５１】
（８）上記実施形態では上側保持部材の下面に、位置決め部と誘導部とを区画する切欠部を形成したが、本発明によれば、このような切欠部を形成せず、位置決め部と誘導部が連続する形態としてもよい。
【００５２】
（９）上記実施形態では位置決め部を液体浸入方向において最も奥側に位置する壁部から手前側へ延出する形態としたが、本発明によれば、位置決め部を液体浸入方向において最も奥側に位置する壁部から更に奥側へ延出する形態としてもよい。
【００５３】
（１０）上記実施形態では液体浸入方向における手前側に位置する凹部が上側の保持部材の下面のみに開口する形態としたが、本発明によれば、液体浸入方向における手前側に位置する凹部が、上側の保持部材の下面と前面の両面に開口する形態としてもよい。
【００５４】
（１１）上記実施形態では誘導部が壁部の前面よりも前方（液体浸入方向手前側）へ突出する形態としたが、本発明によれば、誘導部の後端部（液体浸入方向奥端部）が壁部の下面から下方へ延出する形態としてもよい。
【図１】
0004447607.tif 000002
【図２】
0004447607.tif 000003
【図３】
0004447607.tif 000004
【図４】
0004447607.tif 000005
【図５】
0004447607.tif 000006
【図６】
0004447607.tif 000007
【図７】
0004447607.tif 000008
【図８】
0004447607.tif 000009